(57)【要約】異種ネットワーク間で用いてシステム・プロセッサの処理能力を確保するユニバーサル・インタフェース・モジュールは少なくとも2つのポートを有してネットワーク間の物理的接続を行う物理的接続ブロックを有する。ゲーティング装置（１６）は接続ブロック（１１４）に結合されて異なるフォーマットの情報のパケットを適切なネットワークに配信する。パケット処理装置（１２０）はゲーティング装置に結合されて該パケットにデータ及びアドレシング情報を付加し、該パケットからデータ及びアドレシング情報を削除する。アプリケーション逆多重化装置（１３０）はパケット処理装置に結合され、システム・プロセッサ上で実行するアプリケーションにデータ及び制御信号を配信する。
2005525766.tif 000002
【特許請求の範囲】
【請求項１】
少なくとも2つの異なるネットワークをシステム・プロセッサにインタフェースするモジュールであって：
少なくとも2つのポート；
を有し、該ポート各々が少なくとも２つの異なるネットワークのうちの別々の１つに対する接続を行って、該別々のネットワーク各々から着信パケットを受信し、該別々のネットワーク各々に発信パケットを送信し；
更に、該ポート各々から受信された着信パケット及び該ポートに向けた発信パケットを適切なフォーマットに変換するゲーティング装置；
該ゲーティング装置から受信された着信パケットから情報を取り外し、該ゲーティング装置に送信された発信パケットに情報を付加するパケット処理装置；及び
該パケット処理装置からの着信パケットを該システム・プロセッサに配信し、該システム・プロセッサからの発信パケットを該パケット処理装置に配信する逆多重化装置；
を有することを特徴とするモジュール。
【請求項２】
請求項１記載のモジュールであって、該接続を物理的に行うブロックが、非同期転送モード・ネットワーク、ユニバーサル・シリアル・バス・ネットワーク、ディジタル加入者線ネットワーク、電力線ネットワーク、家庭内電話回線ネットワーク業界団体のネットワーク、及びイーサネット（登録商標）・ネットワークのうちの少なくとも１つに対する接続をサポートすることを特徴とするモジュール。
【請求項３】
請求項１記載のモジュールであって、該ゲーティング装置が媒体アクセス制御（ＭＡＣ）レベルのゲーティングを行うことを特徴とするモジュール。
【請求項４】
請求項１記載のモジュールであって、該ゲーティング装置が：
適切なネットワークを復号して情報のパケットを受信するフィルタ・アレイ；
を有することを特徴とするモジュール。
【請求項５】
請求項１記載のモジュールであって、該パケット処理装置が：
情報をパケット化及び逆パケット化してネットワーク間で転送するディジタル信号プロセッサ；
を有することを特徴とするモジュール。
【請求項６】
請求項１記載のモジュールであって、該パケット処理装置が：
前記パケットに含まれる生データを記憶し、取り外す、メモリ記憶装置からのデータ経路及び該メモリ記憶装置へのデータ経路；
を有することを特徴とするモジュール。
【請求項７】
請求項１記載のモジュールであって、該逆多重化装置がデータ及び制御信号をネットワークが対応する個々のクライアントに対して配信することを特徴とするモジュール。
【請求項８】
請求項１記載のモジュールであって、該システム・プロセッサとローカル・ネットワークとの間のスタンド・アロン型インタフェースであることを特徴とするモジュール。
【請求項９】
情報パケットをネットワーク間でルーティングしてシステム・プロセッサの処理能力を確保する方法であって：
少なくとも2つのポートを異なるネットワーク間で結合するインタフェース・モジュールを備える工程：
異なるフォーマットの情報のパケットを適切なネットワーク間でゲートし、ゲート解除する工程；
該情報のパケットを、データとアドレシング情報とのうちの一方を、該パケットに付加すること及び該パケットから取り除くこと、各々を行うことによって、処理する工程；及び
該情報のパケットを逆多重化して、システム・プロセッサ上で実行するアプリケーションに対してデータ及び制御信号を配信する工程；
を有することを特徴とする方法。
【請求項１０】
請求項９記載の方法であって、該インタフェース・モジュールが、非同期転送モード・ネットワーク、ユニバーサル・シリアル・バス・ネットワーク、ディジタル加入者線ネットワーク、電力線ネットワーク、家庭内電話回線ネットワーク業界団体のネットワーク、並びにイーサネット（登録商標）・ネットワークのうちの少なくとも１つと別のネットワークとの間をインタフェースすることを特徴とする方法。
【請求項１１】
請求項９記載の方法であって、該ゲートする工程が媒体アクセス制御レベルのゲーティングを行う工程を有することを特徴とする方法。
【請求項１２】
請求項９記載の方法であって、該ゲートする工程が：
適切なネットワークを復号して情報のパケットを、フィルタ・アレイを利用することによって、受信する工程；
を有することを特徴とする方法。
【請求項１３】
請求項９記載の方法であって、該処理する工程が：
ディジタル信号プロセッサを利用して情報をパケット化及び逆パケット化して、ネットワーク間で転送する工程；
を有することを特徴とする方法。
【請求項１４】
請求項９記載の方法であって、該処理する工程が：
該パケットに含まれる生データを、メモリ記憶装置を利用することによって、記憶し、取り出す、工程；
を有することを特徴とする方法。
【請求項１５】
請求項９記載の方法であって、該逆多重化する工程が：
データ及び制御信号をネットワークが対応する個々のクライアントに対して配信する工程；
を有することを特徴とする方法。
【発明の詳細な説明】
【技術分野】
【０００１】
本発明は、一般的に、ネットワーク通信システムに関し、特に、物理層インタフェースを備えてデータを適切な宛て先に、主システム・コンピュータ処理装置による限定的な関与を伴って、ルーティングする方法及びシステムに関する。
【背景技術】
【０００２】
多くのサービス・プロバイダ通信ネットワークにおいては、サービス及び管理の機能は電話局又は別のハブの場所で行われる。例えば、非同期転送モード/非同期ディジタル加入者線(ATM/ADSL)ネットワークでは、管理及びサービスの機能は、通常、電話局で維持されている機器、例えば、交換機器及び多重化機器、に対して行われる。ATM/ADSLネットワークは更に、顧客の場所で維持される機器、例えば、電話及びコンピュータのような、契約者宅内機器（CPE）及び顧客インタフェース装置、を有する。該顧客の場所で利用される別の装置はセット・トップ・ボックスを有し得る。
【０００３】
DSL環境では、家庭用オーディオ/ビデオ機器に用いられるセット・トップ・ボックスはいくつかの考えられるインタフェース種類をフロント・エンド・アプリケーション・データ入力として有し得る。これらのインタフェースは、例えば、ADSL/VDSLモデム、HPNA（電話線を利用した家庭内ネットワークの業界団体）インタフェース、又はイーサネット（登録商標）ポートを有し得る。一構成は、サービス・プロバイダのヘッド・エンド機器に接続されてアプリケーション・データ・コンテンツを受信するADSLモデム・ポートを有し得る。更に、このフロント・エンド装置に対する1次DSLレシーバ（例えば、契約者宅内機器（CPE））はコンテンツを表示させるよう、アプリケーション・データを、HPNAポートを介して、2次DSLレシーバ（例えば、セット・トップ・ボックス）に再配信し得る。
【０００４】
現在、集積回路（IC）市場においては、複数のICで、ネットワーク間及びネットワーク内での通信用の種々のインタフェース及びプロトコルに相当するもの、が入手可能である。これらのICは通信プロトコル用物理層（PHY）の一部を形成する。そのようなPHYインタフェースは、例えば、スタンドアロン型ADSL  PHYのIC、HPNA  PHYのIC、又は別の物理層のICを有し得る。これらのICは種々の物理信号によってインターネット・プロトコル（IP）パケットをカプセル化し、該IPパケットを各種ネットワーク上で配信する。
【０００５】
異なるネットワーク・インタフェースは異なるネットワーク・コントローラを要する。これらのネットワーク・コントローラは、セット・トップ・ボックスのような、1次レシーバ装置によってサポートされることを要する。セット・トップ・ボックスが２つ以上のインタフェース種類をサポートするには、通常、電話局又は別の主ネットワークのコンピュータが逆パケット化及び再パケット化の大部分を行ってデータを1つの種類のネットワークから別の種類のネットワークにルーティングすることを要するが、それは、現在、アプリケーションをセット・トップ・ボックス上で実行するのは非常に非効率的であるからである。逆パケット化/再パケット化は主ネットワーク・プロセッサからの多くのデータ操作を要し、したがって要求リソースを拘束する。
【発明の開示】
【発明が解決しようとする課題】
【０００６】
したがって、方法及びシステムで、物理層インタフェースを備えてデータを適切な宛て先に、主ネットワーク・プロセッサの関与なしで、ルーティングするもの、に対する必要性が存在する。更に、処理活動を主ネットワーク・プロセッサから迂回させる必要性が存在する。
【課題を解決するための手段】
【０００７】
異種ネットワーク間で用いるユニバーサル・インタフェース・モジュールで、システム・プロセッサの処理能力を確保するもの、は、少なくとも２つのポートを有してネットワーク間の物理的接続を行う物理的接続ブロックを有する。ゲーティング装置は該接続ブロックに結合されて、異なるフォーマットの情報のパケットを適切なネットワークに配信する。パケット処理装置は該ゲーティング装置に結合されて該パケットにデータ及びアドレシング情報を付加し、該パケットから該データ及びアドレシング情報を削除する。アプリケーション逆多重化装置は該パケット処理装置に結合されて、システム・プロセッサ上で実行されるアプリケーションに対してデータ及び制御信号を配信する。
【０００８】
異種ネットワーク間で情報パケットをルーティングしてシステム・プロセッサの処理能力を確保する方法は、異なるネットワーク間で少なくとも２つのポートを物理的に接続するユニバーサル・インタフェース・モジュールを備える工程を有する。異なるフォーマットの情報のパケットが適切なネットワーク間で、ゲートされ、ゲート解除される。該パケットは該パケットにデータ及びアドレシング情報を付加し、該パケットからデータ及びアドレシング情報を削除することによって処理される。該パケット情報は逆多重化されてデータ及び制御信号をシステム・プロセッサ上で実行するアプリケーションに向けて配信される。
【発明を実施するための最良の形態】
【０００９】
本発明の効果、特性、及び種々の別の特徴は、添付図面に関して次に詳細に表す例示的実施例を検討することによって徹底的に明らかになるものである。
【００１０】
該図面は本発明の概念を示すことが目的であり、必ずしも、本発明を示す唯一の考えられる構成でないことが分かる。
【実施例】
【００１１】
本発明は、方法及びシステムで、複数の各種ネットワークからの入力を処理することができる物理層（PHY）インタフェースを備えるもの、を有する。本発明はデータを適切な宛て先に、主システム・コンピュータ・プロセッサ装置（CPU）による限定的な関与を伴って、ルーティングするユニバーサル・ブロードバンド・インタフェース・モジュールを備える。該インタフェース・モジュールはディジタル信号プロセッサ（DSP）ベースのサブシステムで、媒体アクセス制御（MAC）レベルのゲーティング、パケットの逆パケット化及び再パケット化を、システムの主CPUからは大部分は無関係か、完全に無関係に、行うもの、を有する。本発明によってサポートされる種類のネットワーク・インタフェースは、用途が広いものであり得るものであり、将来のブロードバンド家電機器用に拡張可能であり得る。該インタフェースは、例えば、非同期転送モード（ATM）PHY又は別の種類のヘッド・エンド・インタフェース機能を有し得る。
【００１２】
本発明は複数のPHYインタフェース用に構成されるインタフェース・モジュールによって説明するものとするが、本発明はずっと広く、如何なるネットワークで、ケーブル、無線、DSL又は別のネットワークで、ユーザがネットワーク間でサービスの切り替えを要するもの、を有するもの、にも対応し得る。更に、本発明は、電話、セット・トップ・ボックス、コンピュータ、衛星リンクなどを通じたデータ伝送を有するブロードバンド・サービスを供給する如何なるシステムにも適用し得る。本発明はDSLネットワークによって表すが、本発明の概念はケーブル、無線又はATM技術を用いた別のネットワーク種類に拡張し得る。
【００１３】
図に表す構成要素は種々の形態のハードウェア、ソフトウェア、又はそれらの組み合わせにおいて実施し得る。好ましくは、これらの構成要素は1つ又は複数の適切にプログラム化された汎用装置で、プロセッサ、メモリ及び入出力インタフェースを有し得るもの、上のハードウェアにおいて実施される。
【００１４】
次に、図面で、同じ参照番号がいくつかの図を通じて同様な構成要素か同一の構成要素を明らかにするもの、更には、当初、図１、を特に詳細に参照して、音声、データ及びビデオのサービスを統合するDSLシステム・アーキテクチャ１を表す。システム・アーキテクチャ１は、本発明による上記発明の方法及びシステムを利用する例示的なDSL環境として示す。
【００１５】
システム領域１は電話局（CO）機器２０及び契約者宅内機器（CPE）２を有する。システム領域１内の構成ブロック並びにそれら各々のインタフェースは：契約者宅内機器（CPE）２、ディジタル加入者線アクセス多重化装置（DSLAM）９、ATMスイッチ１０並びにインターネット・プロトコル（IP）ルータ１３及びATM終端装置１２；である。ATMスイッチ１０で、番組ガイド・サーバ/ビデオ・サーバ１６に対して、衛星放送ネットワーク17、ラジオ放送ネットワーク１８、又はケーブル放送ネットワーク１９に向けて結合されたもの、を表す。ATMスイッチ１０は更に、DSL終端装置１２とIPルータ１３の対に結合されてインターネット１４からのインターネット・プロトコルIPパケット・データを受信する。
【００１６】
該契約者宅内機器（CPE）２は、DSLモデム装置３０で、別個のアナログ電話3乃至６と旧来のアナログ電話サービス（POTS）を通じてインタフェースするもの、PCデスクトップ・システム７に対する10ベースTのイーサネット（登録商標）接続、及びテレビ受信機若しくはビデオ・ディスプレイ８‘へ接続する、デコーダ８付セット・トップ・ボックス８に対するイーサネット（登録商標）又はRS-422接続を有する。セット・トップ・ボックス８は更に、別のネットワークからの入力を有し得る。例えば、電力線ネットワーク、ATMネットワーク、USBネットワーク又は別のネットワークからの入力は更に、本発明によって、セット・トップ・ボックス8に接続し得る。
【００１７】
顧客のアナログ部分から、CPE装置２はアナログ入力を電話3乃至６各々から受理し、アナログ入力をディジタル・データに変換し、該データをATMパケットにパッケージ化し（ボイス・オーバATM）、各接続は一意の仮想チャネル識別子/仮想経路識別子（VPI/VCI）を有する。当業者が分かるように、ATMは接続指向プロトコルであり、そういうものとして、セル・ヘッダ全てに接続識別子があり、該接続識別子は明示的にセルを物理リンク上の特定の仮想チャネルと関連付ける。接続識別子は２つのサブフィールド、仮想チャネル識別子（VCI）及び仮想経路識別子（VPI）、を有する。併せて、これらの識別子はセルを、ネットワークを通して、多重化し、逆多重化し、スイッチングするのに用いられる。VCI及びVPIはアドレスではなく、接続が設定された場合、接続のATMノード間の各セグメント・リンクで明示的に割り当てられ、該接続の期間中はそのままの状態となる。VCI/VPIを用いる場合、ATM層は非同期でセルを複数の接続からインタリーブ（多重化）することが可能である。
【００１８】
イーサネット（登録商標）・データは更に、一意のVPI/VCIを有するATMセルにカプセル化される。ATMセル・ストリームは、変調され、DSLAM装置９に配信されるよう、CPE装置２のDSLモデムに送出される。DSL信号が、契約者宅内機器２におけるDSLモデム３０によって受信され、復調され、VPI/VCI検出処理に向けて配信される。ATMセル・データで、VPI/VCIがエンド・ユーザの電話のものに照合するものを有するもの、は更に、抽出され、電話に配信されるようアナログPOTSに変換される。ATMセル・データで、VPI/VCIがエンド・ユーザのイーサネット（登録商標）のものに照合するものを有するもの、が抽出され、イーサネット（登録商標）トランシーバに配信されてそのポートに配信される。
【００１９】
ディジタル加入者線アクセス多重化装置（DSLAM）９は複数DSLモデムからのデータを逆多重化し、該データをATMバックボーン・ネットワークに集信させて、該ネットワークの残りの部分に接続する。DSLAM９はATMスイッチ10に対するATM出力へのDSL線を集信させることによって、パッケージ、セル、及び/又は回線ベースのアプリケーションに対するバックホール・サービスを備える。
【００２０】
ATMスイッチ１０はATMネットワークのバックボーンである。ATMスイッチ１０は、該ネットワークにおける種々の機能で、セル・トランスポート、多重化並びに集信、トラフィック制御及びATM層管理を有するもの、を実行する。ATMスイッチ１０が、DSLAM９及びインターネット・ゲートウェイ（インターネット・プロトコルIPルータ１３並びに、DSL終端装置又はATM終端装置１２）に接続してセル・ルーティングとバッファリングとを備え、多重電話リンク・スイッチ１５に接続してT1回線エミュレーション・サポートを備えることは、システム領域１において特筆すべきことである。ATMスイッチ１０は、衛星放送ネットワーク、ラジオ放送ネットワーク又はケーブル放送ネットワークと接続し、インタフェースするよう、番組ガイド・サーバ/ビデオ・サーバ１６に結合し得る。ATMスイッチ１０は更に、ATM終端装置１２とIPルータ１３との対に結合されて、インターネット・プロトコルIPパケット・データをインターネット１４から受信する。
【００２１】
NCS１１はシグナリング用の終端点で、仮想回線の設定及び取り外しを、ユーザのアクセス権及び要求に基づいて、制御するもの、を備える。更に、NCS１１は、顧客がコンテンツの流れを制御することも可能にする機能で、ユーザによって、例えば、従来のVCRの機能と同様に、セット・トップ・ボックス８によって、制御され得るもの、を備える。NCS１１は更に、請求目的で、顧客活動に関する情報を備える。
【００２２】
NCS１１は、アドレス変換、デマンド割り当て及び呼管理の機能を備え、DSL/ATMネットワークを管理し、該管理は通話の発信並びに終端、及びサービスの要求並びにオーダ、を有する。NCS１１は基本的には、（例えば、GR-303プロトコルを用いる）クラス５PSTNスイッチ１５とCPE2との間で制御情報を通信し、変換する制御エンティティである。ネットワーク制御システム１１は、別の機能で、コードのCPEへのダウンロード、帯域幅並びに呼管理の機能、更には別のサービス・プロビジョニング及び設定のタスクのようなもの、に利用可能である。
【００２３】
CPE２とセット・トップ・ボックス８との間のインタフェースは、例えば、１３９４ケーブル、イーサネット(登録商標)・リンク、同軸ケーブル、無線、などを、接続されているネットワーク/インタフェースに応じて、有し得る。モジュール１００（図２）はCPE２レベル、セット・トップ・ボックス８レベルで実施し得るものであるか、該ネットワークにおける如何なる別の適切な位置でも実施し得るものである。
【００２４】
図２を参照すれば、本発明の一実施例によって、専用ユニバーサル・インタフェース・エンジン又はユニバーサル・インタフェース・モジュール１００を表す。モジュール１００によってデータが1つの種類のネットワークから別の種類のネットワークに流れることが可能になる。モジュール１００は好ましくは、システムの主CPU（例えば、図１のNCS11）にかなり無関係か完全に無関係に、媒体アクセス制御（MAC）レベルのゲーティング、パケットの逆パケット化及び再パケット化を行う、ディジタル信号処理（DSP）ベースのサブシステムを有する。
【００２５】
モジュール１００はCPE２レベルかセット・トップ・ボックス８レベルで実施し得る。モジュール１００は好ましくは、セット・トップ・ボックス８において実施される。モジュール１００はヘッド・エンド１又は別のネットワークに対する接続101乃至１０６を有する。接続101乃至106は、モジュール１００とプロバイダ・ネットワーク（例えば、接続101乃至１０３）との間の双方向通信及びモジュール１００とローカル・ネットワーク（例えば、接続104乃至１０６上のホーム・ネットワークなど）との間の双方向通信を備える。効果的には、接続101乃至１０６は異なるMACフォーマットにおける情報を受信し得る。その結果、モジュール１００は用途が広い物理層インタフェースで、複数のネットワークPHY層とインタフェースするのに利用し得るもの、を備える。
【００２６】
接続101乃至１０６は、特定の種類の物理ポートPHYインタフェースに相当する、相互に関連しているレジスタ・ブロック107乃至１１２に接続される。これらのインタフェースは図では、ATM  PHYポート（１０７）、USB  PHYポート（１０８）、ADSL  PHYポート（１０９）、電力線ホーム・ネットワーク用電力線PHYポート（１１０）、電話線を利用した家庭内ネットワークの業界団体（HPNA）PHYポート（１１１）及びイーサネット（登録商標）PHYポート（１１２）として表す。これらのブロックは併せて、ネットワーク・インタフェースPHY制御ブロック１１４として表す。PHY制御ブロック114毎に、MACアドレス・ゲーティング・ブロック１１６があり、該ブロックはMACアドレスを1つの種類のネットワークから別のものに変換する。ブロック１１４は、ブロック１１３でのブロック107乃至１０９を通じたモジュール１００とプロバイダ側ネットワーク（例えば、ヘッド・エンド１）との間の入力と出力との両方の動作及び、ブロック１１５でのブロック１１０乃至１１２を通じたモジュール１００とユーザ側ネットワーク（例えば、ホーム・ネットワーク）との間の入力と出力との両方の動作に対する異なるMACフォーマットの変換を管理する。
【００２７】
ゲーティング・ブロック１１６は接続ネットワーク間で送受信されるコンテンツのアドレシング及び多重化を管理する。入力及び出力のゲーティングはMACレベルで行われる。ゲーティング・ブロック１１６はMACレベル・フィルタ化ブロック１１８とともに動作し、該フィルタ化ブロックは、各種ネットワークからの如何なる着信パケットにも対するMACアドレスをフィルタ化し、各種ネットワークに向けての発信パケットに適切なMACアドレスを備える。パケット、例えば、ATMパケット、が適切に、適切な宛て先にルーティングされると、パケット・コンテンツの処理が行われる。
【００２８】
MACレベル・ゲーティング層１１６の後、パケットはアプリケーション・データ・パケットの逆パケット化及び再パケット化のブロック１２０にルーティングされる。着信パケットに対しては、ブロック１２０はディジタル信号処理（DSP）を行ってパケット・ヘッダを取り除き、データ及び制御の信号を復号する。発信パケットに対しては、ヘッダにルーティング/アドレスの情報が付加されてパケット配信宛て先を準備する。ブロック１２２では、データが逆パケット化及び再パケット化のブロック１２０に入る前に、任意のデータ経路で、ホスト・バックエンド・システムがネットワークからの生データをシステムのランダム・アクセス・メモリ（RAM）又はハード・ドライブ・メモリ位置に記憶することを可能にするもの、が存在する。更に、記憶された生データは、ブロック１２４における直接メモリ・アクセス（DMA）によって1つの種類のネットワークにストリーム出力し得る。このオプションはハード・ドライブ・ベースのアプリケーションに有用である。
【００２９】
ブロック１２２は、パス・スルー１２３で、情報のパケットのモジュール100を通じた
直接ルーティングを、該パケットのヘッダ又はデータのコンテンツにおける該情報がモジュール１００によって用いられるものでない場合に、可能にするもの、を有する。
【００３０】
プレゼンテーション・レベルのトランスポート逆多重化ブロック１２７は各種ネットワークから来る相互に関連するデータを、ネットワーク・システムの主CPU１１（図１）、又はアプリケーションを実行することができる別のプロセッサ、上で実行する種々のアプリケーションに向けて、配信する。割り込みシグナリング１２９を利用することによって、アプリケーション/プレゼンテーション・レベル１２７は、システム・プロセッサ上で実行するアプリケーションを起動及び/又は維持するよう、データ/制御信号を、メモリ位置１２８から導き、該位置へ導く。データ・フィルタ・アレイ１３０は、アプリケーション・データ及び制御信号をブロック１２７のトランスポート逆多重化機能用の適切なアプリケーションに導くよう利用し得る。
システムＣＰＵ又は別のプロセッサからのブロック１３２における発信データ及び制御信号はパケット化され、適切なネットワークに対してゲートされる。
【００３１】
本発明によるインタフェース・エンジン100を利用することによって、システムＣＰＵはマルチネットワーク・システムにおけるパケット及びデータの管理の負荷が少なくなる。これらの管理機能によって、ＣＰＵが、特にマルチネットワーク対応の消費者向製品では、非効率的になる。従来のシステムでは、データを1つの種類のネットワークから別の種類のものにルーティングすることを実現するには、大量のＣＰＵ時間及びシステムの主ＣＰＵにおいて実行される多くのソフトウェアを要する。
【００３２】
本発明のモジュール１００は効果的に、多重化及び逆多重化のタスクをシステム・プロセッサから迂回させて再配分する。これによってシステムＣＰＵ又は別のプロセッサが、ビデオ表示、グラフィック・レンダリング、ウェブ・ブラウジングなどのような別のタスクに集中することが可能になる。更に、ユニバーサル・ブロードバンド・インタフェースを利用することによって、複数の各種ネットワークが装置又はネットワークによってサポートされ得る。モジュール１００は将来のブロードバンド家電機器用に拡張可能であり得る。該インタフェースはＡＴＭ  ＰＨＹ又は別の種類のヘッド・エンド・インタフェース機能を有し得る。
【００３３】
（例示的であり、限定的でない）ブロードバンド・インタフェース・アーキテクチャの好適実施例を記載したが、修正及び変形を当業者によって上記の開示内容に鑑みて行い得ることを特筆する。したがって、変更を本特許請求の範囲記載の本発明の範囲及び趣旨の範囲に収まる、上記開示された本発明の特定の実施例において行い得るものとする。このように本発明を、特許法が要求する詳細及び具体性を伴って、記載したが、特許請求の内容、更には、望ましい内容で、本特許によって保護されるもの、は本特許請求の範囲に表すものとする。
【図面の簡単な説明】
【００３４】
【図１】本発明によるユニバーサル・インタフェース・モジュールを利用するブロードバンド・アークテクチャを表す例示的ディジタル加入者線（ＤＳＬ）システム・アーキテクチャの図である。
【図２】本発明の一実施例による例示的ユニバーサル・モジュールのブロック図/流れ図である。
【図１】
2005525766.tif 000003
【図２】
2005525766.tif 000004
【国際調査報告】
2005525766.tif 000005
2005525766.tif 000006